(57)【要約】【課題】美観的にも需要者の要望を満足させるスライド・スイング方式のドアおよびカバーシステムを提供する。【解決手段】ドアを開けてカバー２５ａの一端が支柱３１に当接するとカバー２５ａが長軸方向にスライドして上部回転アーム１８との相対位置が偏移し、ドアを閉めてカバー２５ａの一端が支柱３１から離隔すると上部回転アーム１８とカバー２５ａとの間に長軸方向に架設されたばね５９の力によりカバー２５ａが元の位置に戻るスライド復元機構５０と、ドアを開けてカバー２５ａの前面が支柱３１に当接し圧迫されるとカバー２５ａが水平面外方向に後退して上部回転アーム１８側に近づき、ドアを閉めると上部回転アーム１８とカバー２５ａとの間に水平面外方向に架設されたばね７３の力によりカバー２５ａが元の位置に戻る後退復元機構７０とを備えることを特徴とするスライド・スイング式ドア。【選択図】　図２
2004019358.tif 000002
【特許請求の範囲】
【請求項１】
開口部を形成する枠体に、この開口部の幅方向にスライドしながら且つその前後方向にスイングして開閉するようにドアパネルを設けたスライド・スイング式ドアにおいて、
上部回転アームに並設された一方の支柱側の分割カバーと、上枠に固設されているもう一方の分割カバーとからなるドア上部のカバーであって、上部回転アームに並設された一方の支柱側の分割カバーは、
ドアを開けてカバーの一端が支柱に当接するとカバーが長軸方向にスライドして上部回転アームとの相対位置が偏移し、ドアを閉めてカバーの一端が支柱から離隔すると上部回転アームとカバーとの間に長軸方向に架設されたばねの力によりカバーが元の位置に復帰するスライド復元機構と、
ドアを開けてカバーの前面が支柱に当接し圧迫されるとカバーが水平面外方向に後退して上部回転アーム側に近づき、ドアを閉めると上部回転アームとカバーとの間に水平面外方向に架設されたばねの力によりカバーが元の位置に復帰する後退復元機構と、
を備えるカバーシステムであることを特徴とするスライド・スイング式ドア。
【請求項２】
スライド・スイング式ドアの上部回転アームに並設された一方の支柱側の分割カバーと、上枠に固設されているもう一方の分割カバーとからなるドア上部のカバーシステムにおいて、
上部回転アームに並設された一方の支柱側の分割カバーは、
ドアを開けてカバーの一端が支柱に当接するとカバーが長軸方向にスライドして上部回転アームとの相対位置が偏移し、ドアを閉めてカバーの一端が支柱から離隔すると上部回転アームとカバーとの間に長軸方向に架設されたばねの力によりカバーが元の位置に復帰するスライド復元機構と、
ドアを開けてカバーの前面が支柱に当接し圧迫されるとカバーが水平面外方向に後退して上部回転アーム側に近づき、ドアを閉めると上部回転アームとカバーとの間に水平面外方向に架設されたばねの力によりカバーが元の位置に復帰する後退復元機構と、
を備えることを特徴とするカバーシステム。
【請求項３】
前記スライド復元機構は、スライドしたカバーを元の位置に復元させるコイルばねと、コイルばねのカバー側の一端を支持する支点部と、上部回転アームとカバーとを連結し、コイルばねの他端を支持する連結部と、から構成され、
前記支点部は、前記カバーに固着された台付ナットとこの台付ナットに挿通された丸ボルトとから成り、
前記連結部は、さらボルトと台座とワッシャと三つのナットとから構成され、前記カバーにはさらボルトの頭とさらボルトに螺合された１のナットとに挟持された台座をスライド可能にカバー裏面に取付けられ、上部回転アームには上部回転アームの側面に穿設されたボルト穴に前記さらボルトを挿通しさらボルトに螺合された２つのナットおよびワッシャにより挟持されて取付けられ、
前記コイルばねは、前記連結部および支点部のそれぞれのボルトに両端が系着架設される、
ことを特徴とする請求項２記載のカバーシステム。
【請求項４】
前記後退復元機構は、さらボルトと台座とコイルばねと袋ナットとから構成され、
前記カバーには、さらボルトの頭とさらボルトに螺合された１のナットとに挟持された台座をスライド可能にカバー裏面に取付けられ、
上部回転アームには、上部回転アームの側面に穿設されたボルト穴を貫通したさらボルトの端部をナットを螺合して抜け落ち防止して挿着し、
コイルばねは、前記上部回転アームと前記台座の間で前記さらボルトに巻装された、
ことを特徴とする請求項２記載のカバーシステム。
【請求項５】
前記カバーシステムに用いられるばねの強さを調節することにより、自閉式としたことを特徴とする請求項１記載のスライド・スイング式ドア。
【発明の詳細な説明】
【０００１】
【発明の属する技術分野】
本発明は、スライド・スイング式ドアに係り、特にドアパネルの上端面に回動自在に支持された上部回転アームを目隠しするカバーに関する。
【０００２】
【従来の技術】
一般の住居用家屋やビルなどの建物や構造物において使用されるドア開閉の方式には種々のものがある。
【０００３】
これを開閉動作の様式から分類すると、スイング式、スライド式、折り畳み式、回転式などがある。特に、近年、開閉時に必要な占有面積が小さいこと、大きな通過幅を確保し易いこと、建て付けが比較的容易であること、バリアフリーに対応可能であること等により、スライド方式とスイング方式を併用した形式のスライド・スイング方式のドア装置が脚光を浴びている。
【０００４】
もっとも、一口にスライド・スイング式ドアといってもその開閉方式によって種々のタイプがあるが、例えば竪軸回転式が知られている（特開２０００−２４８８２２公報）。
【０００５】
このドア装置は、ポールなどの支柱の上下端にスライドおよびスイング用のアームまたは蝶番の一方の支軸をそれぞれ取り付け、このアームまたは蝶番のもう一方の支軸をドアパネル（パネル体）の上端面および下端面にそれぞれ取り付ける一方で、ドアパネル上端面に吊り車（例えば６輪吊り車）の支軸を取り付け、この吊り車を開口部上部の吊りレールに沿わせる構造のものである。
【０００６】
この方式は、支柱を隠蔽するカバーが不要であり、また床面にガイドレールを設ける必要がないので、バリアフリー化でき、レール内に塵や埃がたまらない等のメリットを有するものである。
【０００７】
【発明が解決しようとする課題】
ところが、この竪軸回転式は、ポールなどの支柱を内包する竪軸自体もドアの開閉に伴って回転するものであるため、竪軸とドア枠との間に隙間が生じ指を挟むおそれ無きにしも非ずであった。
【０００８】
そこで、発明者は回転体を固定された支柱内に納めて回転しないようにしたスライド・スイング式ドアを開発した（特願２００１−０４３９１６）。
【０００９】
このスライド・スイング式ドアの概要を図１２に示す。
【００１０】
このスライド・スイング式ドアは、３方枠体１１の一方の縦枠１１ｓに沿って固設された支柱３１と、この支柱３１の内部にその長手方向に沿って配置された回転軸３２と、支柱３１の内部にて回転軸３２をその軸周りに回動自在に支持する軸受３３及び軸受器３４とを備える。軸受３３及び軸受器３４は複数組、設置される。このドアは更に、回転軸３２の上下端夫々に一端が固着され且つ夫々の他端がドアパネル１３の上端面及び下端面の所定位置に回動自在に支持された上部回転アーム１８及び下部回転アーム１９を備える。ドアパネル１３は、吊りレール１４内を摺動可能な吊り車１７によって吊持される。
【００１１】
しかしながら、このスライド・スイング式ドアは、上部カバーの一部（２５ａ）が枠側のカバー（２５ｂ）から切離されパネル１３の上部の一部に取って付けたように残されたままパネル１３が開閉し、また、上部回転アームもドアが閉じた状態以外では露出するため、美観が悪く、住宅メーカー等にとっても採用するを得ない状況である。
【００１２】
図１３、１４および図１５に示すように、ドアパネル１３及び支柱３１と上枠１１ｕとの間に設けたカバー機構は、室外側カバー２４および室内側カバー２５により覆われており、その内部は殆ど見えないようにしてある。室外側カバー２４は上枠１１ｕに固設されている。室内側カバー２５は、ドア開閉時に上部回転アーム１８が約１／４周分回転するので、その長手方向の所定位置から分割された構成になっている。この内、一方の支柱側の分割カバー２５ａはドアパネル１３に固設され、もう一方の分割カバー２５ｂは上枠１１ｕに固設されている。分割カバー２５ａ，２５ｂ同士は端面を所定距離だけ離間させて対向させている。
【００１３】
このように、ドアが閉じられているときはドア上部のアーム１８は外からは見えない。しかし、ドアを開くと、分割カバー２５ａはドアパネル１３とともに移動し、上部回転アーム１８から離れていく。そうすると、上部回転アーム１８は露出されてしまう。また、ドアパネル１３の上部概１／３には分割カバー２５ａが取付いているものの残りの概２／３の長さには何もないというのも妙である。
【００１４】
そこで、この分割カバー２５ａを上部回転アーム１８に取付けることが考えられた。そうすると、上部回転アーム１８が露出することもなく、また、ドアパネル１３上の一部に分割カバー２５ａが残るという体裁の悪さもなくなる。しかし、これを単純に実行しても、ドアを開けるとまもなく分割カバー２５ａの端部が支柱３１またはドア枠１１ｓに突当り、それ以上開かなくなるという根本的な問題が生じる。
【００１５】
そこで、本発明は、上述した事情を考慮してなされたもので、前記スライド・スイング式ドアの優れた機能をすべて保持したまま、美観的にも需要者の要望を満足させるスライド・スイング方式のドアおよびカバーシステムを提供することを目的とするものである。
【００１６】
本発明の他の目的は、上記スライド・スイング方式のドア装置において簡易な方法による自閉装置を備えたものを提供することにある。
【００１７】
【課題を解決するための手段】
本発明に係るスライド・スイング式ドアは、上述した課題を解決するために、請求項１に記載したように、上部回転アームに並設された一方の支柱側の分割カバーと、上枠に固設されているもう一方の分割カバーとからなるドア上部のカバーであって、上部回転アームに並設された一方の支柱側の分割カバーは、ドアを開けてカバーの一端が支柱に当接するとカバーが長軸方向にスライドして上部回転アームとの相対位置が偏移し、ドアを閉めてカバーの一端が支柱から離隔すると上部回転アームとカバーとの間に長軸方向に架設されたばねの力によりカバーが元の位置に復帰するスライド復元機構と、ドアを開けてカバーの前面が支柱に当接し圧迫されるとカバーが水平面外方向に後退して上部回転アーム側に近づき、ドアを閉めると上部回転アームとカバーとの間に水平面外方向に架設されたばねの力によりカバーが元の位置に復帰する後退復元機構とを備えるカバーシステムであることを特徴とするものである。
【００１８】
次に、上述した課題を解決するために、請求項２に係るカバーシステムは、スライド・スイング式ドアの上部回転アームに並設された一方の支柱側の分割カバーと、上枠に固設されているもう一方の分割カバーとからなるドア上部のカバーシステムにおいて、上部回転アームに並設された一方の支柱側の分割カバーは、ドアを開けてカバーの一端が支柱に当接するとカバーが長軸方向にスライドして上部回転アームとの相対位置が偏移し、ドアを閉めてカバーの一端が支柱から離隔すると上部回転アームとカバーとの間に長軸方向に架設されたばねの力によりカバーが元の位置に復帰するスライド復元機構と、ドアを開けてカバーの前面が支柱に当接し圧迫されるとカバーが水平面外方向に後退して上部回転アーム側に近づき、ドアを閉めると上部回転アームとカバーとの間に水平面外方向に架設されたばねの力によりカバーが元の位置に復帰する後退復元機構とを備えることを特徴とするものである。
【００１９】
そして、上述した課題を解決するために、請求項３に係るカバーシステムのスライド復元機構は、スライドしたカバーを元の位置に復元させるコイルばねと、コイルばねのカバー側の一端を支持する支点部と、上部回転アームとカバーとを連結し、コイルばねの他端を支持する連結部とから構成され、前記支持部は、前記カバーに固着された台付ナットとこの台付ナットに挿通された丸ボルトとから成り、前記連結部は、さらボルトと台座とワッシャと三つのナットとから構成され、前記カバーにはさらボルトの頭とさらボルトに螺合された１のナットとに挟持された台座をスライド可能にカバー裏面に取付けられ、上部回転アームには上部回転アームの側面に穿設されたボルト穴に前記さらボルトを挿通しさらボルトに螺合された２つのナットおよびワッシャにより挟持されて取付けられ、前記コイルばねは、前記連結部および支点部のそれぞれのボルトに両端が系着架設されることを特徴とするものである。
【００２０】
また、上述した課題を解決するために、請求項４に係るカバーシステムの後退復元機構は、さらボルトと台座とコイルばねと袋ナットとから構成され、前記カバーには、さらボルトの頭とさらボルトに螺合された１のナットとに挟持された台座をスライド可能にカバー裏面に取付けられ、上部回転アームには、上部回転アームの側面に穿設されたボルト穴を貫通したさらボルトの端部をナットを螺合して抜け落ち防止して挿着し、コイルばねは、前記上部回転アームと前記台座の間で前記さらボルトに巻装されたことを特徴とするものである。
【００２１】
さらに、上述した課題を解決するために、請求項５に係るスライド・スイング式ドアは、前記カバーシステムに用いられるばねの強さを調節することにより、自閉式としたことを特徴とするものである。
【００２２】
【発明の実施の形態】
本発明に係るカバーシステム１を備えるスライド・スイング式ドアについて、添付図面を参照して説明する。
【００２３】
図１に示すように、３方枠体１１および床面１２により部屋の出入り口を成す開口部ＯＰが画成される。３方枠体１１は、上枠１１ｕと、その両側の縦枠１１ｓ，１１ｓとが一体に形成されて成る。３方枠体１１の内側に、本実施形態に係るスライド・スイング式ドアが建て付けられる。
【００２４】
このスライド・スイング式ドアは、ドアパネル１３と、このドアパネル１３をスライド・スイング可能に支持するドアパネル支持体とを備える。このドアパネル支持体は、吊りレール１４、支持装置１５、下部ピボット１６、６輪吊り車１７、上部回転アーム１８、および下部回転アーム１９を含む。ドアパネル１３には、その室外側および室内側に、ドアノブ２０ａ，２０ｂを備える。また、このドアには、美観上及び封止性の向上の観点から、一方の縦枠１１ｓに沿って隙間用化粧柱２２が設けられるとともに、ドアパネル１３及び支持装置１５と上枠１１ｕとの間には室外側カバー２４及び室内側カバー２５（図３、４および５参照）が取り付けられている。
【００２５】
まず、本発明に係るカバーシステム１の全体を図２に示す。図２は、このスライド・スイング式ドアの図１のＨ−Ｈ断面である。
【００２６】
縦枠１１ｓに支柱３１が取付けられ、この支柱３１は回転軸（軸体）３２を内包する。この回転軸（軸体）３２の頂部から上部回転アーム１８が突設される。
【００２７】
上部回転アーム１８は、もう一方の端部が回転吊り支軸１８ａに回動可能に連結されている。つまり、この回転吊り支軸１８ａの一端がアーム端部に回動可能に垂設され、この回転吊り支軸１８ａの他端がドアパネル１３の上端面の所定位置に固設されている。
【００２８】
スライド復元機構５０は、上部回転アーム１８の先端近く、すなわち、回転吊り支軸１８ａ近くに設けられ、大別して、スライドした室内側カバー２５ａを元の位置に復元させるコイルばね５９と、上部回転アーム１８と室内側カバー２５ａとを連結する連結部５１と、コイルばね５９の室内側カバー２５ａ側の一端を支持する支点部５２とから構成される。
【００２９】
スライド復元機構５０の連結部５１は、上部回転アーム１８の上部回転アーム１８と室内側カバー２５ａとを連結するとともに、コイルばね５９の上部回転アーム１８側の一端を支持するものであり、さらボルト５３と台座５４と３つのナット５５，５６，５７とワッシャ５８とから構成される。
【００３０】
まず、さらボルト５３に、中心にボルト穴が穿設された台座５４を挿通し、これをナット５５とさらボルト５３のボルト頭とで挟持する。室内側カバー２５ａは、後述するように、水平面外方向に後退前進するので、このとき台座５４がある程度自在に動けるように余裕を持たせておく。
【００３１】
これにばね５８を挿通しナット５６を螺合させてワッシャ５８を挿入した後、上部回転アーム１８にねじ切された穴に螺合させ、ナット５７で固定する。ナット５６と５７とで上部回転アーム１８を挟持することにより上部回転アーム１８と室内側カバー２５ａとの距離を一定に保つことができる。
【００３２】
連結部５１は、このように、まず上部回転アーム１８に固設される。室内側カバー２５ａへの取付けについては後述する。
【００３３】
スライド復元機構５０の支持部５２は、ドアの開閉によりスライドする室内側カバー２５ａを元の位置に戻すための支点の役割を果たすものであり、丸ボルト６０と台付ナット６１とから成る。これは、連結部５１のように、さらボルトと２つのナットと台座とから構成されるものであってもよい。
【００３４】
支持部５２は、室内側カバー２５ａに固設され、上部回転アーム１８とは直接的には接触しない。
【００３５】
そして、コイルばね５９は、連結部５１および支点部５２のそれぞれのボルト５３，６０に両端が系着架設される、
ばね５９の連結部５１側の端部は丸フックに形成され、連結部５１が上部回転アーム１８に取付けられる前にナット５５，５６間に挟みこんでおく。これに対し、ばね５９の支点部５２側の端部は、やはり丸フックに形成され、丸ボルト６０に挿入された後、丸ボルト６０は台付ナット６１に螺合される。
【００３６】
ドアを開くと室内側カバー２５ａは支柱３１から遠ざかる方向へスライドする。それに従い連結部５１と支点部５２との距離は大きくなる。逆に、ドアを閉める時は、ばね５９の復元力により室内側カバー２５ａはスライドバックして、ドアが閉まった時には元の状態に復している。
【００３７】
このばね５８は、ゴム等の弾性体や小型の油圧装置であってもよい。
【００３８】
一方、後退復元機構７０は、支柱３１から上部回転アーム１８の長さ概１／３のところに位置し、さらボルト７１と台座７２とばね７３と袋ナット７４とから構成される。
【００３９】
まず、さらボルト７１に、中心にボルト貫通穴が穿設された台座７２とコイルばね７３とを挿通し、これを上部回転アーム１８の両側面に穿設された２つの穴に挿通させる。そして、さらボルト７１の端部に袋ナット７４を螺合させて、上部回転アーム１８と室内側カバー２５ａとを連結する。
【００４０】
この時、上部回転アーム１８と室内側カバー２５ａとの距離を、連結部５１側と同じになるように調整する。ここで、袋ナット７４を用いるのは、ドア開時に室外側から見える可能性があるため美観を損なわないようにするためである。
【００４１】
ドアをある程度以上開くと、この室内側カバー２５ａは縦枠１１ｓに接触して表面から圧迫される。そうすると、室内側カバー２５ａは上部回転アーム１８側へと押込まれ、コイルばね７３は縮む。その状態から逆にドアを閉めていくと、縮んでいたばね７３の復元力によって、上部回転アーム１８と室内側カバー２５ａとの距離も元に戻る。
【００４２】
後退復元機構７０も、このようにまず上部回転アーム１８に固設される。室内側カバー２５ａへの取付けについては後述する。
【００４３】
次に本発明に係るカバーシステム１の横断面を図３ないし図５に示す。本実施形態に係るスライド・スイング方式のドア装置の上部カバーは、おおよそ支柱３１から上部回転アーム１８端部までと上部回転アーム１８端部からパネル１３の他端までの二つの部分に分かれる。
【００４４】
回転吊り支軸１８ａからパネル１３の他端までの図１のＵ−Ｕ断面を示すのが図３である。６輪吊り車１７を支える吊りレール１４の下部に室外側カバー２４と室内側カバー２５ｂとが設けられる。これらのカバー２４，２５ｂはこの区間では６輪吊り車１７とパネル１３とを連結する回動自在な車軸１７ａを隠蔽するものである。
【００４５】
室内側カバー２５ｂは、この間では上枠１１ｕから吊下げられた形で取付けられている。本実施形態では吊りレール１４と室外側カバー２４および室内側カバー２５ｂとは一体に形成されているが、別々に構成されるものであってもよい。
【００４６】
また、室外側カバー２４と室内側カバー２５ａは必ずしも左右対称である必要もない。
【００４７】
これに対し、支柱３１から上部回転アーム１８端部までは、室内側カバー２５ａは図４および図５に示すように、上部回転アーム１８側面に取付けられる。この区間では、回転吊り支軸１８ａからパネル１３の他端までとは異なり、室内側カバー２５ａと上枠１１ｕとは離れているので隙間が生じるが、それ以外の外観は軸１８ａからパネル１３の他端までと概同じである。
【００４８】
図４に示すのは図１のＶ−Ｖ断面である。室内側カバー２５ａのスライド復元機構５０の連結部５１を示すものである。台座５４は室内側カバー２５ａの裏面に設けられた２つの突起８０，８１に嵌合固定される。
【００４９】
上部回転アーム１８は本実施の形態ではＵ字形に形成されているが、スライド復元機構５０や後退復元機構６０を取付けられる形状であればこれにこだわらない。
【００５０】
図５に示すのは、室内側カバー２５ａの後退復元機構７０を見る図１のＷ−Ｗ断面である。ここでも、台座７２は室内側カバー２５ａの裏面に設けられた２つの突起８０，８１に嵌合固定される。
【００５１】
室内側カバー２５ａの裏面を図６に示す。２つの突起８０，８１は軸１８側から支柱３１側まで連続している。もっとも支柱３１側では、支柱３１との衝突を回避すべく一定の距離を置いて手前で終了している。２つの突起８０，８１は、スライド復元機構と後退復元機構の部分だけであってもよい。
【００５２】
２つの突起８０，８１により嵌合される台付ナット６１、台座５４，７２の中で、台付ナット６１は室内側カバー２５ａに固定されているが、台座５４と台座７２とはドアの開閉による室内側カバー２５ａのスライドに従って２つの突起８０，８１内を左右にスライド移動する。これにより、ばね５９は伸縮が可能となる。
【００５３】
すなわち、図７に示すように、台座５４，７２はボルト５３，７１を介して上部回転アーム１８側面に取付けられるが、台付ナット６１（図示せず）は最初から室内側カバー２５ａ裏面に取付けられている。スライド復元機構５０の連結部５１、後退復元部７０はそれぞれ上部回転アーム１８にセットされ、スライド復元機構５０の支点部５２は室内側カバー２５ａにセットされた後、室内側カバー２５ａの２つの突起８０，８１が台座５４，７２を嵌合するように挿通される。その後、スライド復元機構５０の連結部５１に嵌着されているばね５９の他端を支点部５２の丸ボルト６０に係着させてカバーシステム１のセットが完了する。
【００５４】
次に、本実施形態に係るカバーシステム１の作動について図８ないし１１を参照して説明する。
【００５５】
図２に示したようなドアが閉じた状態から、ドアを開き始めると、図８に示すように、上部回転アーム１８の回転と同時に室内側カバー２５ａも回転を始めるが室内側カバー２５ａの支柱３１側の端部は早晩縦枠１１ｓに突当り、室内側カバー２５ａを軸１８ａの方向へ押す力が加わる。その力に押されて、台座５４と台座７２とは２つの突起８０，８１の中をスライドする。このスライド作用がなければ、ドアはこれ以上開かず、無理に開けようとしてもドア枠に損傷を与えるだけである。
【００５６】
このスライド作用により、図９に示すようにドアはさらに開き続ける。そうすると、室内側カバー２５ａの、上部回転アーム１８に対する相対的な横移動量も大きくなり、ばね５９の伸びも大きくなってくる。
【００５７】
さらに開き続けると、図１０に示すように、後退復元機構７０が作用し始める。すなわち、この後退復元機構７０がなければ、破線で示すように、支柱３１近辺では上部回転アーム１８と縦枠１１ｓとの距離が、上部回転アーム１８と室内側カバー２５ａとの距離より小さくなり、これ以上の上部回転アーム１８の回転を妨げる。ところが、後退復元機構７０があるため、室内側カバー２５ａは、縦枠１１ｓに当接し表面から圧力を受けると、上部回転アーム１８側へと押されて後退し、上部回転アーム１８と縦枠１１ｓとの距離内に納まる。これにより、ドアはさらに開き続けることが可能となる。
【００５８】
そして、最終的には、図１１に示すように全開状態に至る。このとき、室内側カバー２５ａは正面から圧迫を受けているため、後退復元機構７０のばね７３は縮み、そのため袋ナット７４は上部回転アーム１８側面よりせり出してくる。また、室内側カバー２５ａの横スライド量も最大となり、ばね５９の伸びも最大となる。
【００５９】
ここで、ばね５９がある程度以上強力なものであれば、その元の長さに縮もうとする復元力によりドアが自動的に閉まりだす。したがって、適当な性能のばねを選択すれば、簡易な自閉式のドアとすることもできる。
【００６０】
ドアが開いた状態から閉じる場合は、上述の作用と逆の作用が働き、ばね５９，７３の力により、室内側カバー２５ａは元の状態に復する。
【００６１】
【発明の効果】
本発明に係るカバーシステム１によれば、前記スライド・スイング式ドアの優れた機能をすべて保持したまま、美観的にも需要者の要望を満足させるスライド・スイング方式のドアおよびカバーシステムを提供することができる。
【００６２】
また、本発明によれば、上記スライド・スイング方式のドア装置において簡易な方法による自閉装置を備えたものを提供することができる。
【図面の簡単な説明】
【図１】本発明の実施形態に係るスライド・スイング式ドアの構成を示す概略正面図。
【図２】本発明に係るカバーシステムの平面図。
【図３】図１のＵ−Ｕ断面図。
【図４】図１のＶ−Ｖ断面図。
【図５】図１のＷ−Ｗ断面図。
【図６】室内側カバーの背面図。
【図７】上部回転アームと室内側カバーとの分解取付図。
【図８】パネル概１５度開時のカバーシステム平面図。
【図９】パネル概３０度開時のカバーシステム平面図。
【図１０】パネル概６５度開時のカバーシステム平面図。
【図１１】パネル概全開時のカバーシステム平面図
【図１２】本発明に先行するスライド・スイング式ドアの構成を示す概略正面図。
【図１３】（Ａ）は図１２のＳ−Ｓ断面図、（Ｂ）は図１２のＴ−Ｔ断面図。
【図１４】本発明に先行するスライド・スイングドアの開閉を説明する図。
【図１５】従来の室内側カバーと上部回転アームとの関係を示す図。
【符号の説明】
１　カバーシステム
１１　３方枠体
１１ｕ　上枠
１１ｓ　縦枠
１２　床面
１３　ドアパネル
１４　吊りレール
１５　支持装置
１６　下部ピボット
１７　６輪吊り車
１７ａ　回動自在な車軸
１８　上部回転アーム
１８ａ　回転吊り支軸
１９　下部回転アーム
２０，２０ａ，２０ｂ　ドアノブ
２２　隙間用化粧柱
２４　室外側カバー
２５ａ，２５ｂ　室内側カバー
３１　支柱
３２　回転軸（軸体）
３３　鍔付き軸受（軸受手段／支持手段）
３４　軸受器（軸受手段／支持手段）
５０　スライド復元機構
５１　連結部
５２　支点部
５３　さらボルト
５４　台座
５５，５６，５７　ナット
５８　ワッシャ
５９　コイルばね
６０　丸ボルト
６１　台付ナット
７０　後退復元機構
７１　さらボルト
７２　台座
７３　コイルばね
７４　袋ナット
８０，８１　突起
【図１】
2004019358.tif 000003
【図２】
2004019358.tif 000004
【図３】
2004019358.tif 000005
【図４】
2004019358.tif 000006
【図５】
2004019358.tif 000007
【図６】
2004019358.tif 000008
【図７】
2004019358.tif 000009
【図８】
2004019358.tif 000010
【図９】
2004019358.tif 000011
【図１０】
2004019358.tif 000012
【図１１】
2004019358.tif 000013
【図１２】
2004019358.tif 000014
【図１３】
2004019358.tif 000015
【図１４】
2004019358.tif 000016
【図１５】
2004019358.tif 000017